(57)【要約】【課題】データの記録における信号品質の均一化およびクロスライトの低減を図る。【解決手段】磁気ディスクは、周方向に沿って第１領域とそれよりも広い第２領域とに区画されたデータ記録面を有する。第１領域および第２領域のうちの少なくとも第１領域には、径方向に沿って並ぶ隣接した記録トラックどうしを磁気的に分離するガードバンドが形成され、各記録トラックにおける第２領域での記録可能な部分の幅が第１領域での記録可能な部分の幅よりも大きい。【選択図】図２
2008198247.tif 000002
【特許請求の範囲】
【請求項１】
同心円状に並びまたは螺旋状に連なる複数の記録トラックが設定されたデータ記録面を有する磁気ディスクであって、
前記データ記録面が周方向に沿って第１領域とそれよりも広い第２領域とに区画され、
前記第１領域および第２領域のうちの少なくとも前記第１領域に、径方向に沿って並ぶ隣接した記録トラックどうしを磁気的に分離するガードバンドが形成され、各記録トラックにおける前記第２領域での記録可能な部分の幅が前記第１領域での記録可能な部分の幅よりも大きい
ことを特徴とする磁気ディスク。
【請求項２】
前記第１領域および第２領域のうちの第１領域のみに前記ガードバンドが形成された
請求項１に記載の磁気ディスク。
【請求項３】
前記第１領域における周方向の第１端から第２端に向かうにつれて、前記ガードバンドの幅が小さくなる
請求項１または請求項２に記載の磁気ディスク。
【請求項４】
周方向に沿って等間隔に複数の第１領域が配置され、これら第１領域のそれぞれにガードバンドが形成された
請求項１ないし請求項３のいずれかに記載の磁気ディスク。
【請求項５】
請求項１に記載の磁気ディスクを記録媒体として備える磁気ディスク装置であって、
前記磁気ディスクを回転させるモータと、記録磁界を発生する磁気ヘッドと、前記磁気ヘッドに記録電流を供給する回路と、前記磁気ヘッドを選択された記録トラックに対向させる機構と、前記回路および前記機構を制御する制御部とを備えており、
前記制御部は、回転する前記磁気ディスクにおける選択された１つの記録トラックへのデータの記録に際して、当該記録トラックにおける前記第１領域内の位置から当該記録を開始するとともに、当該記録の初期であって前記磁気ヘッドが前記第１領域と対向する期間には前記磁気ヘッドに第１の値の電流を供給し、前記磁気ヘッドが前記第２領域と対向する期間には前記第１の値よりも小さい値の電流を前記磁気ヘッドに供給する制御を行う
ことを特徴とする磁気ディスク装置。
【発明の詳細な説明】
【技術分野】
【０００１】
本発明は記録媒体である磁気ディスクおよびそれを備える磁気ディスク装置に関する。
【背景技術】
【０００２】
磁気ディスク装置は、回転する磁気ディスクに対して浮上するスライダを備え、スライダに設けられた磁気ヘッドによって記録トラックにデータを記録し、または記録トラックからデータを読み取る。記録トラックへのアクセスは、磁気ヘッドが磁気ディスクから僅かに離れた非接触状態で行われる。近年では、スライダと磁気ディスクとの間隔（浮上高さ）が１０ｎｍ以下にまで狭まっている。
【０００３】
このような磁気ディスク装置におけるエラーレートに関わる問題として、１つの記録トラックに複数のセクタにわたってデータを連続的に記録する際に、記録開始から間も無い時期に記録されるセクタとある程度の時間が経過した時点以降に記録されるセクタとで、記録されるデータの信号品質が異なることが知られている。そして、原因が磁気ヘッドの“熱突き出し”であることも知られている。
【０００４】
熱突き出しは、磁気ヘッドに記録電流が供給されることにより起こる発熱で磁気ヘッドが熱膨張し、磁極の先端がスライダのディスク対向面から突き出る現象である。記録電流の通電の開始から暫くは昇温にともなって突き出し長さが増大するが、数セクタ程度の記録を終えた頃に磁気ディスクの回転による空冷作用と電流損失の発熱とが均衡して突き出し長さがほぼ一定（１ｎｍ程度）になる。磁極の先端が突き出て磁気ディスクに近づくと、記録トラックに印加される記録磁界が強くなる。通常、強い磁界で記録される信号の品質は弱い磁界で記録される信号の品質と比べて良好である。したがって、「記録の初めの時期に記録されるセクタでは、それらより後に記録されるセクタと比べてデータエラーが生じ易い」というエラーレートの不均一が熱突き出しによって生じる。
【０００５】
熱突き出しの対策として、特開２００４−２８１０１２号公報および特開２００６−８５８３２号公報において、記録電流を意図的に変化させる方法が開示されている。その方法は、所定長のデータの記録において記録の初期では比較的に大きな記録電流を磁気ヘッドに供給し、初期より後の期間では比較的に小さな記録電流を磁気ヘッドに供給する。熱突き出しに係る突き出し長さの変化に対応させて記録電流を段階的または連続的に低減することによって、記録トラックには記録の開始から終了までほぼ一定の記録磁界が印加される。
【特許文献１】特開２００４−２８１０１２号公報
【特許文献２】特開２００６−８５８３２号公報
【発明の開示】
【発明が解決しようとする課題】
【０００６】
記録電流を変化させる手法は１つの記録トラックにおけるエラーレートの均一化には有効であるものの、次の問題を生じさせる。
【０００７】
磁気ヘッドと磁気ディスクとの距離が比較的に大きい記録の初期に大きな記録電流を磁気ヘッドに供給することにより、記録トラックに十分な強度の記録磁界が加わるものの、記録電流が小さい場合と比べて実質的に記録幅が拡がるので、当該記録トラックに隣接する記録トラックにも許容できない強さの磁界が加わる。すなわち、隣接した記録トラックに同時にデータが記録される不都合であるクロスライトが生じる。クロスライトが生じない程度に初期の記録電流を設定すると、初期より後の期間（以下、これを定常期という）にはエラーレートを均一にするために初期よりも小さい電流を供給しなければならないので、定常期の記録磁界が本来の最適な磁界よりも弱いものになる。このため、全体的にデータのエラーレートが増加してしまう。
【０００８】
本発明は、所定長のデータの記録における信号品質の均一化およびクロスライトの低減に有用な磁気ディスクの提供を目的としている。他の目的は、所定長のデータの全体にわたって信号品質が良好な記録を実現する磁気ディスク装置の提供である。
【課題を解決するための手段】
【０００９】
上記目的を達成する磁気ディスクは、同心円状に並びまたは螺旋状に連なる複数の記録トラックが設定され、周方向に沿って第１領域とそれよりも広い第２領域とに区画されたデータ記録面を有する。第１領域および第２領域のうちの少なくとも前記第１領域には、径方向に沿って並ぶ隣接した記録トラックどうしを磁気的に分離するガードバンドが形成され、各記録トラックにおける第２領域での記録可能な部分の幅が第１領域での記録可能な部分の幅よりも大きい。
【００１０】
第１領域では、１つの記録トラックに磁気ヘッドを対向させてデータを記録する際に、記録トラックおよびそれを挟むガードバンドに強い磁界が拡がってもクロスライトが生じない。すなわち、第１領域では第２領域と比べると、クロスライトを防ぐ上での印加磁界強度の上限が大きい。
【００１１】
上記目的を達成する磁気ディスク装置は、上記のガードバンドを有した磁気ディスクと、磁気ディスクを回転させるモータと、記録磁界を発生する磁気ヘッドと、磁気ヘッドに記録電流を供給する回路と、磁気ヘッドを選択された記録トラックに対向させる機構と、回路および機構を制御する制御部とを備える。制御部は、回転する磁気ディスクにおける選択された１つの記録トラックへのデータの記録に際して、当該記録トラックにおける第１領域内の位置から当該記録を開始するとともに、当該記録の初期であって前記磁気ヘッドが前記第１領域と対向する期間には前記磁気ヘッドに第１の値の電流を供給し、前記磁気ヘッドが前記第２領域と対向する期間には前記第１の値よりも小さい値の電流を前記磁気ヘッドに供給する、という制御を行う。
【００１２】
磁気ヘッドに供給する電流を初期とその後とで異ならせることにより、熱突き出しによる磁気ヘッドと磁気ディスクとの距離の変化に関わらず、記録トラックに印加される記録磁界の強度が１データの記録期間の全体にわたって均等にすることができる。第１領域を記録開始位置とすることにより、記録の初期に大きな記録電流を磁気ヘッドに供給して印加磁界を強めてもガードバンドによってクロスライトが防止される。
【発明の効果】
【００１３】
本発明によれば、所定長のデータの記録における信号品質の均一化およびクロスライトの低減を図ることができる。そして、所定長のデータの全体にわたって信号品質が良好な記録を実現することができる。
【発明を実施するための最良の形態】
【００１４】
図１のように、第１実施形態の磁気ディスク１は、同心円状に並ぶ多数の記録トラック２４が設定された環状のデータ記録面２０を有する。
【００１５】
データ記録面２０は、円環を中心角度の異なる扇形に分割する形式で、第１領域である１つのディスクリート領域２１と第２領域である１つの非ディスクリート領域２２とに区画されている。図中で斜線を付した部分がディスクリート領域２１であり、データ記録面２０におけるディスクリート領域２１以外が非ディスクリート領域２２である。
【００１６】
図示の磁気ディスク１の構成は角速度一定（ＣＡＶ）で回転する状態でのアクセスおよび回動式アームによるシーク動作に適合するものであるので、ディスクリート領域２１はデータ記録面２０の外周に近づくほど拡がり、アーム先端の移動経路に沿うよう湾曲した形状をもつ。
【００１７】
ディスクリート領域２１の角度範囲は、後述のセクタの数個分に対応する小範囲である。データ記録面２０の大半が非ディスクリート領域２２であり、ディスクリート領域２１と比べて非ディスクリート領域２２が格段に広い。言い換えれば、各記録トラック２４におけるディスクリート領域２１に対応する部分と比べて、非ディスクリート領域２２に対応する部分が十分に長い。
【００１８】
図１中の破線で囲まれた部分ＡＡを描いた図２のように、ディスクリート領域２１と非ディスクリート領域２２との区画と整合させて、データ記録面２０は１周を所定角度ずつ分割する形式で複数のユーザデータ領域３１と複数のサーボ領域３２とに区画されている。図２ではこれら領域の周方向両端縁が直線に描かれているが、実際はディスクリート領域２１の端縁と同様に、ＣＡＶ回転および回動式シーク動作に適合するように曲がっている。
【００１９】
ユーザデータ領域３１は任意のデータを記憶する領域であり、サーボ領域３２はサーボ制御のための情報を記憶する領域である。サーボ制御のための情報は、トラッキングのためのマーク、クロック生成のためのマーク、およびアドレス情報を含む。
【００２０】
本例においては、データ長の最小単位（一般に５１２バイト）に対応する角度範囲の領域であるセクタごとにサーボ領域３２が設けられている。１つのセクタに１つのユーザデータ領域３１が対応するので、以下においてはユーザデータ領域をセクタという。
【００２１】
図２によく示されるとおり、ディスクリート領域２１に対応する３個のセクタ３１には、隣接した記録トラック２４どうしを磁気的に分離するガードバンド４１，４２，４３が形成されている。これに対して、非ディスクリート領域２２にはガードバンド４１，４２，４３が形成されていない。したがって、必然的に、各記録トラック２４における非ディスクリート領域２２での記録可能な部分の幅ｗ２０がディスクリート領域２１での記録可能な部分の幅ｗ１１、ｗ１２、ｗ１３よりも大きい。
【００２２】
ディスクリート領域２１の３個のセクタ３１にそれぞれ形成されたガードバンド４１，４２，４３の幅は互いに異なる。ディスク回転方向Ｍ１の逆であるヘッド走行方向Ｍ２の後方側に位置するセクタ３１のガードバンド４１が最も太く、ヘッド走行方向Ｍ２の前方側に位置するセクタ３１のガードバンド４３が最も細い。したがって、１つの記録トラック２４に磁気ヘッドを対向させてデータを記録する際に、ディスクリート領域２１の３個のセクタ３１の中で最初に磁気ヘッドと対向するセクタ（ヘッド走行方向Ｍ２の最も後方のセクタ）３１では、他のセクタ３１と比べて、クロスライトを防ぐ上での印加磁界強度の上限が大きい。
【００２３】
ヘッド走行方向Ｍ２の前方に向かってガードバンド４１，４２，４３が段階的に細くなるので、記録トラック２４の記録可能な部分はヘッド走行方向Ｍ２の前方に向かって太くなる。そして、ディスクリート領域２１から非ディスクリート領域２２に移ると、記録トラック２４の記録可能な部分の幅（実質的なトラック幅）が広がってトラックピッチ（ｗ２０）と等しくなる。データ保持の安定化の上では実質的なトラック幅の広いのが有利である。
【００２４】
磁気ディスク１は図３および図４に示されるＳＦＭ(Synthetic Ferri Media）構造の磁気記録媒体であり、図５に示される面記録方式の記録に用いられる。
【００２５】
図３および図４にのように、磁気ディスク１は、ガラスまたは樹脂からなる基板１０とそれに順に積層された下地層１１、中間層１２、安定化層１３、記録層１４、および保護膜１５とからなる。
【００２６】
図３のように、ディスクリート領域２１では、記録層１４は径方向Ｍ３に互いに離れた複数の硬磁性体４０とそれらの間を埋める非磁性体からなるガードバンド４１，４２，４３（図３ではガードバンド４１のみが描かれている）とで構成される。硬磁性体４０およびガードバンド４１は図３の紙面の表裏方向に延びており、各硬磁性体４０が１つの記録トラック２４に対応する。図４のように、非ディスクリート領域２２では、記録層１４は硬磁性体４０のみからなる。
【００２７】
記録層１４の形成方法は、安定化層１３上に例えば硬磁性層として例えばコバルトクロム白金層を積層する工程、インプリントまた一般的なフォトリソグラフィによるマスクを用いて硬磁性層を部分的にエッチングする工程、エッチングで生じた凹部に非磁性体として例えば二酸化珪素を埋め込む工程、および表面を平坦化する工程を含む。非磁性体の埋込みおよび表面平坦化を行うことにより、磁気ディスク１に対して相対移動する磁気ヘッドの浮上状態を安定にすることができる。
【００２８】
以上の構成の磁気ディスク１は図６の磁気ディスク装置５に組み込まれる。
【００２９】
磁気ディスク装置５は、磁気ディスク１を矢印Ｍ１の方向に回転させるスピンドルモータ５１、磁気ディスク１にアクセスするためのヘッド部５２、ヘッド部５２を支持し且つ自身が回動可能なアーム５４、アーム５４を回動させるアクチュエータであるボイスコイルモータ５５、ヘッド部５２を駆動するためのヘッド駆動回路５６、およびこれらの動作を制御するコントローラ５８を備える。
【００３０】
ヘッド部５２は、図５に示される磁気ヘッド５２０、磁気ヘッド５２０を磁気ディスク１に対して浮上させるためのスライダからなる。磁気ヘッド５２０はライト部およびリード部をもち、スライダにおけるヘッド走行方向Ｍ２の後方側端面の例えば外周側の端部に配置されている。そして、アーム５４とボイスコイルモータ５５とからなるシーク機構５３によって、アクセス対象として選択された記録トラック２４に対向する位置に配置される。
【００３１】
ヘッド駆動回路５６は、磁気ヘッド５２０へ記録電流を供給する電流可変のドライバ、および磁気ヘッド５２０からのリード信号を増幅する増幅器などを含んでいる。
【００３２】
コントローラ５８は、プログラムを実行するプロセッサを含むハードウェアと、制御プログラムを含むソフトウェアとによって構成される。コントローラ５８の基本動作は、公知のハードディスク装置の制御動作と同様であるが、データの記録に際しては磁気ディスク１に特有の制御を行う。
【００３３】
磁気ディスク装置５におけるデータの記録には２つの特徴がある。第１の特徴は、従来と同様に熱突き出しを考慮して記録電流を記録の初期に一時的に大きくする電流制御を行うことである。第２の特徴は、熱突き出しを考慮しなければならない所定長を超えるデータ長のデータについては、ディスクリート領域２１から記録を開始することである。
【００３４】
本例では、図７（Ａ）のように４以上のｎ個のセクタにわたってデータを記録する際に、先頭から３番目までのセクタに記録する初期段階では熱突き出しの突き出し長さが記録開始からの時間の経過につれて増大するものの、４番目のセクタへの記録に移る頃には突き出し長さがほぼ飽和値に達し、その後は記録終了までほぼ飽和値のまま一定である。
【００３５】
コントローラ５８は、記録電流の設定値を先頭のセクタで最も大きく、記録が２番目、３番目、４番目のセクタへと進むにつれて段階的に下げるようヘッド駆動回路５６を制御する。４番目以降のセクタに記録する期間、すなわち突き出し長さが変化しない定常期には、記録電流の設定値をあらかじめ決められた最適値に保つようコントローラ５８はヘッド駆動回路５６を制御する。記録開始時点の記録電流の設定値は定常期の設定値の例えば、１．２倍から１，３倍程度である。記録開始後の設定値の引き下げ量はヘッド構造やディスク回転速度に依存する突き出し長さの変化特性に応じて、磁気ヘッド５２０と磁気ディスク１との距離に関わらずどのセクタにも設定強度の磁界が加わるように選定される。環境温度や磁気ヘッド５２０の温度を検知して記録電流を最適化することもできる。
【００３６】
なお、図７（Ａ）の破線の曲線は初期においても定常期と同じ値の記録電流を供給した場合の突き出し長さの変化を示している。初期に定常期よりも大きい記録電流を供給することにより、突き出し長さが早期に安定することが図７（Ａ）から分かる。
【００３７】
記録の初期に定常期と比べて大きな記録電流を供給することより、磁気ヘッド５２０と磁気ディスク１との距離が大きいにも関わらず、記録トラック２４には十分な強度の磁界が加わって良質の記録状態が得られる。また、大きな記録電流を供給することより図８（Ａ）のように磁界９１の幅が記録トラック２４の幅ｗ２０を多少超えたとしても、磁界の拡がりがガードバンド４１の機能する範囲内であればクロスライトは生じない。
【００３８】
記録トラック２４の非ディスクリート領域２２内の部分に記録する定常期には、図８（Ｂ）のようにクロスライトが生じない範囲内で記録面を最大限に利用することができる磁界９２が記録トラック２４に印加される。
【００３９】
図９は第２実施形態の磁気ディスク２の領域区分を示す。
【００４０】
磁気ディスク２も図１の磁気ディスク１と同様に同心円状に並ぶ多数の記録トラック２７が設定された環状のデータ記録面２０ｂを有する。データ記録面２０ｂは、円環を中心角度の異なる扇形に分割する形式で、第１ディスクリート領域２５と第２ディスクリート領域２６とに交互に区画されており、計４個の等間隔に配置された第１ディスクリート領域２５と同じく計４個の等間隔に配置された第２ディスクリート領域２６とからなる。図中で斜線を付した部分が第１ディスクリート領域２５であり、データ記録面２０ｂにおけるディスクリート領域２５以外が第２ディスクリート領域２６である。
【００４１】
磁気ディスク２の構成もＣＡＶ回転する状態でのアクセスおよび回動式アームによるシーク動作に適合するものであるので、第１ディスクリート領域２５および第２ディスクリート領域２６はデータ記録面２０ｂの外周に近づくほど拡がり、アーム先端の移動経路に沿うよう湾曲した形状をもつ。
【００４２】
各第１ディスクリート領域２５の角度範囲は、セクタの数個分に対応する小範囲である。データ記録面２０ｂの大半が第２ディスクリート領域２６であり、各記録トラック２７における第１ディスクリート領域２５に対応する部分と比べて、第２ディスクリート領域２６に対応する部分が十分に長い。
【００４３】
図９中の破線で囲まれた部分ＢＢを描いた図１０のように、データ記録面２０ｂも１周を所定角度ずつ分割する形式で最小単位のユーザデータ領域であるセクタ３１と複数のサーボ領域３２とに区画されている。
【００４４】
図１０によく示されるとおり、第１ディスクリート領域２５に対応する３個のセクタ３１には、隣接した記録トラック２７どうしを磁気的に分離するガードバンド４５，４６，４７が形成されている。そして、第２ディスクリート領域２６にもガードバンド４８が形成されている。すなわち、磁気ディスク２は、記録トラック２７が全周にわたって磁気的に分離されたディスクリートトラック型の記録媒体である。
【００４５】
第１ディスクリート領域２５の３個のセクタ３１にそれぞれ形成されたガードバンド４５，４６，４７の幅は互いに異なり、かつ第２ディスクリート領域２６のセクタ３１に形成されたガードバンド４８の幅とも異なる。第１ディスクリート領域２５の中でヘッド走行方向Ｍ２の最も後方に位置するガードバンド４５が最も太く、中央に位置するガードバンド４６が次ぎに太く、ヘッド走行方向Ｍ２の最も前方側に位置するガードバンド４７が最も細い。そして、このガードバンド４７よりも第２ディスクリート領域２６のガードバンド４８が細い。第２ディスクリート領域２６の中では複数のガードバンド４８の幅は均等である。必然的に、各記録トラック２７における第２ディスクリート領域２６での記録可能な部分の幅ｗ２４は第１ディスクリート領域２５での記録可能な部分の幅ｗ２１、ｗ２２、ｗ２３よりも大きい。
【００４６】
磁気ディスク２においては、第１ディスクリート領域２５でのクロスライトを防ぐ上での印加磁界強度の上限が、第２ディスクリート領域２６での上限と比べて大きい。さらに、第１ディスクリート領域２５の中でもヘッド走行方向Ｍ２の後方側から順に各セクタ３１での上限が大きい。
【００４７】
したがって、磁気ディスク２においても、上述のようにデータの記録に際して印加磁界強度が均等化されるように熱突き出しを考慮して記録電流を変化させ、かつ第１ディスクリート領域２５から記録を開始することにより、クロスライトのない良好な記録を実現することができる。
【００４８】
さらに、磁気ディスク２においては、記録開始位置として好適な４個の第１ディスクリート領域２５が周方向に等間隔に配置されているので、第１ディスクリート領域２５が単一である場合と比べて、磁気ディスク２が回転して磁気ヘッド５２０が記録開始位置に対向するのを待つ待機時間が短い。磁気ディスク２は上述の磁気ディスク１と比べてアクセスの高速化に適している。
【００４９】
以上の第１および第２の実施形態では記録トラック２４，２７の配置に関して同心円形式を挙げたが、これに限らない。映像や音声といったデータサイズの大きいデータの記録に好適とされる螺旋形式であってもよい。
【００５０】
図１１に示す第３実施形態の磁気ディスク３は、螺旋状に連なる複数の記録トラック２８が設定された環状のデータ記録面２０ｃを有する。複数の記録トラック２８を連続した１本の螺旋状トラックとみなすことができるが、ここでいう各記録トラック２８は磁気ディスク３の中央の孔を周回する１周分の区画を意味する。
【００５１】
データ記録面２０ｃは、第１領域である１つのディスクリート領域２１ｃと第２領域である１つの非ディスクリート領域２２ｃとに区画されている。図中で斜線を付した部分がディスクリート領域２１ｃであり、データ記録面２０ｃにおけるディスクリート領域２１以外が非ディスクリート領域２２ｃである。
【００５２】
ディスクリート領域２１ｃには図２の例と同様にガードバンド４１，４２，４３が形成されており、非ディスクリート領域２２ｃにはガードバンド４１，４２，４３が形成されていない。したがって、ディスクリート領域２１ｃでのクロスライトを防ぐ上での印加磁界強度の上限が、非ディスクリート領域２２ｃでの上限と比べて大きい。磁気ディスク３においても、上述のようにデータの記録に際して印加磁界強度が均等化されるように熱突き出しを考慮して記録電流を変化させ、かつディスクリート領域２１ｃから記録を開始することにより、クロスライトのない良好な記録を実現することができる。
【００５３】
以上の第１、第２、第３の実施形態において、磁気ディスク１，２，３の構成は例示に限定されない。ディスクリート領域２１，２１ｃおよび第１ディスクリート領域２５の周方向の広さは、突き出し長さが増大する記録の初期に対応するトラック長に応じて適宜選定すべき事項であり、１個のセクタ、２個のセクタまたは４個以上のセクタに対応するものでもよい。ディスクリート領域２１，２１ｃおよび第１ディスクリート領域２５の個数は１以上であればよい。ただし、第２実施形態のように複数にするのが高速のアクセスの上で有利である。ＥＣＣ（Error Check and Correct）単位のセクタ群ごとにディスクリート領域２１，２１ｃまたは第１ディスクリート領域２５を設けることができる。例えば、５１２Ｂセクタで２ｋＢ−ＥＣＣの場合は４の倍数のセクタに対して１つの記録開始位置を配置する。
【００５４】
必ずしもディスクリート領域２１，２１ｃおよび第１ディスクリート領域２５はデータ記録面２０，２０ｂ、２０ｃの径方向の全長にわたる必要はない。データ記録面２０，２０ｂ、２０ｃを径方向に複数のゾーンに区画し、ゾーン間で先頭セクタの周方向位置が異なる場合には、各ゾーンの先頭部をディスクリート領域２１，２１ｃまたは第１ディスクリート領域２５とするのが好ましい。
【００５５】
ガードバンド４１，４２，４３，４５，４６，４７，４８の幅はトラックピッチや浮上高さなどの構造条件に応じて適宜選定すべき事項である。例えば、最も太いガードバンド４１の幅をトラックピッチの２０％程度とし、それを基準に他のガードバンドの幅を選定すればよい。ガードバンドの幅をヘッド走行方向Ｍ２の前方に向かって連続的に細くしてもよい。磁気ヘッド５２０のスキューに応じて、径方向の配置位置によってガードバンド幅を最適化することもできる。データ記録面２０，２０ｂ、２０ｃの内側または外側に記録開始用のガードバンドをもつタミー記録トラックを設けてもよい。
【００５６】
ガードバンド４１，４２，４３，４５，４６，４７，４８は非磁性体に限らず、溝（空隙）でもよいし、硬磁性層を局部的に加熱するなどして保磁力を低下させた変質層でもよい。
【００５７】
データ記録面２０，２０ｂ，２０ｃにおいて区画される各領域の形状は、並進移動式アームでのシークを前提とする場合には、直線と円弧で形づくられる扇型となる。ディスク回転を線速度一定（ＣＬＶ）とする場合は、ディスクリート領域２１，２１ｃ、第１ディスクリート領域２５、セクタ３１、サーボ領域３２は一定幅の帯状となる。
【００５８】
サーボ領域３２には、ガードバンド４１，４２，４３の形成と同時に所定の非磁性パターンを形成して、硬磁性体と非磁性体との組み合わせで情報を表すサーボマークを形成してもよい。または、サーボ領域３２の層構成を非ディスクリート領域２２と同様とし、サーボ領域３２内の記録層１４に磁気転写または線記録によって第１および第２の磁化方向の組み合わせで情報を表すサーボマークを形成してもよい。
【００５９】
基板１０の片面に記録層１４を配した片面構成を図示したが、基板１０の両面に記録層１４を配した両面構成であってもよい。磁気ディスク装置５において、複数枚の磁気ディスク１，２，３を組み込んでシリンダを構成することができる。
【産業上の利用可能性】
【００６０】
本発明は、磁気ディスク装置の性能向上に貢献する。
【図面の簡単な説明】
【００６１】
【図１】第１実施形態の磁気ディスクの領域区分を示す図である。
【図２】ガードバンドの配置の第１例を示す図である。
【図３】磁気ディスクのディスクリート領域の層構成を示す図である。
【図４】磁気ディスクの非ディスクリート領域の層構成を示す図である。
【図５】磁気記録の形式を示す図である。
【図６】磁気ディスク装置の構成を示す図である。
【図７】熱突き出しに対応する記録電流の制御を示す図である。
【図８】トラック幅と記録磁界の関係を示す図である。
【図９】第２実施形態の磁気ディスクの領域区分を示す図である。
【図１０】ガードバンドの配置の第２例を示す図である。
【図１１】第３実施形態の磁気ディスクの領域区分を示す図である。
【符号の説明】
【００６２】
１，２，３  磁気ディスク
２２，２７，２８    記録トラック
２０，２０ｂ、２０ｃ    データ記録面
２１，２１ｃ    ディスクリート領域（第１領域）
２２，２２ｃ    非ディスクリート領域（第２領域）
２５    第１ディスクリート領域（第１領域）
２６    第２ディスクリート領域（第２領域）
４１，４２，４３    ガードバンド
ｗ１１，ｗ１２，ｗ１３    第１領域での記録可能な部分の幅
ｗ２０    第２領域での記録可能な部分の幅
ｗ２１，ｗ２２，ｗ２３    第１領域での記録可能な部分の幅
ｗ２４    第２領域での記録可能な部分の幅
５    磁気ディスク装置
５１    モータ
５２    ヘッド部
５２０    磁気ヘッド
５６    記録電流を供給する回路
５３    シーク機構
５８    コントローラ（制御部）
【図１】
2008198247.tif 000003
【図２】
2008198247.tif 000004
【図３】
2008198247.tif 000005
【図４】
2008198247.tif 000006
【図５】
2008198247.tif 000007
【図６】
2008198247.tif 000008
【図７】
2008198247.tif 000009
【図８】
2008198247.tif 000010
【図９】
2008198247.tif 000011
【図１０】
2008198247.tif 000012
【図１１】
2008198247.tif 000013